(57)【要約】【課題】平面を有する缶のその平面に、複数の孔を容易に開けて、均等に配置する。【解決手段】平面状の孔開け面を有する缶のその孔開け面に孔を開けるための缶用孔開け器において、先端が尖っている複数の棒状の孔開け部材と、この孔開け部材をその軸方向に摺動可能に所定間隔で保持する保持部材とを備えている。そして、この保持部材は、孔開け面に当接する当接面と、この当接面に形成されて複数の孔開け部材の先端部を突出させる開口部とを有する。この保持部材を孔開け面に当接し、孔開け部材の先端部を突出させることにより、缶の孔開け面に複数の孔を均等に配置して容易に開けることができる。さらに、缶が孔開け面に交差する平面である交差面を有している場合には、この交差面に当接して、保持部材の位置決めをする位置決め部材を備えることによって、孔開け面の所定位置に保持部材を当接させて、孔を開けることができる。【選択図】図１
2006001559.tif 000002
【特許請求の範囲】
【請求項１】
平面状の孔開け面を有する缶の前記孔開け面に複数の孔を開けるための缶用孔開け器であって、
先端が尖っている複数の棒状の孔開け部材と、
該孔開け部材をその軸方向に摺動可能に所定間隔で保持する保持部材とを備え、
前記保持部材は、前記孔開け面に当接する当接面と、この当接面に形成されて前記複数の孔開け部材の先端部を突出させる開口部とを有することを特徴とする缶用孔開け器。
【請求項２】
前記保持部材には、前記缶の孔開け面と交差する交差面に当接して、前記保持部材の位置決めを行う位置決め部材が設けられていることを特徴とする請求項１に記載の缶用孔開け器。
【請求項３】
前記保持部材と前記位置決め部材の少なくともいずれか一方に、前記孔開け面または前記交差面に吸着する吸着手段が設けられていることを特徴とする請求項１または２に記載の缶用孔開け器。
【請求項４】
前記孔開け部材と前記保持部材のうちの一方には前記孔開け部材を係止する係止部が設けられ、他方には前記係止部に係止する被係止部が設けられていることを特徴とする請求項１から３のいずれか一項に記載の缶用孔開け器。
【請求項５】
前記孔開け部材は、その先端面が孔開け部材の軸方向に対して傾斜していることを特徴とする請求項１から４のいずれか一項に記載の缶用孔開け器。
【発明の詳細な説明】
【技術分野】
【０００１】
本発明は、平面を有する缶のその平面に、液体、粉体等の内容物を散布する孔を開けるための缶用孔開け器に関する。
【背景技術】
【０００２】
従来、液体、粒体等を地面、床面等に散布する場合には、それぞれの用途に応じ機械式の散布機が用いられることが多い。しかし、このような機械式の散布機は、その設備コストが高く、また、散布作業前において缶等の容器から内容物を移したり、散布作業後において散布機を洗浄したり、等の手間がかかっていた。
【０００３】
そこで、設備コストを抑え、上記のような散布作業前後の手間を軽減するために、現場では、缶等の容器に直接複数の流出孔を開けて、この流出孔から内容物を散布する方法が実際には行われている。例えば、特許文献１には、円筒の底面に細孔を複数個あけた農薬微粒剤の散布容器が示されている。そして、特許文献１の第１図に示されるような孔を開けるには、通常、釘等が用いられている。
【特許文献１】実開昭６１−１２３８１号公報
【発明の開示】
【発明が解決しようとする課題】
【０００４】
しかしながら、釘等を用いて複数の孔を開けるには、缶の側面等に釘を金槌で叩いて貫通させるという作業を一つづつ繰り返し行う必要があり、作業が面倒であった。また、複数の孔を手作業で均等に配置することは困難であり、内容物を均一に散布したい場合には不適であった。
【０００５】
本発明の課題は、平面を有する缶のその平面に、複数の孔を容易に開けて、均等に配置することである。
【課題を解決するための手段】
【０００６】
以上の課題を解決するため、請求項１に記載の発明は、例えば図１〜３に示すように、平面状の孔開け面（側面１２）を有する缶（一斗缶１）の前記孔開け面に複数の孔（流出孔３）を開けるための缶用孔開け器２であって、先端が尖っている複数の棒状の孔開け部材２１と、該孔開け部材２１をその軸方向に摺動可能に所定間隔で保持する保持部材（前方保持部材２２、後方保持部材２３）とを備え、前記保持部材は、前記孔開け面に当接する当接面（前方側面２２ｂ）と、この当接面に形成されて前記複数の孔開け部材の先端部を突出させる開口部２２ｃとを有することを特徴とする。
【０００７】
このように、先端部が尖った複数の棒状の孔開け部材２１が、その軸方向に保持部材によって摺動可能に保持されて、この保持部材の当接面２２ｂが缶の孔開け面に当接して、複数の孔開け部材の先端部が当接面に形成された開口部２２ｃから突出することにより、缶の孔開け面に複数の孔を容易に開けることができる。また、これらの孔開け部材２１は所定間隔で保持されていることにより、孔を均等に配置することができる。
【０００８】
請求項２に記載の発明は、例えば図１〜３に示すように、請求項１に記載の缶用孔開け器２において、前記保持部材には、前記缶の孔開け面と交差する交差面（上面１１）に当接して、前記保持部材の位置決めを行う位置決め部材２５が設けられていることを特徴とする。
【０００９】
このように、位置決め部材２５が、缶の孔開け面と交差する交差面に当接して、保持部材の位置決めを行うことにより、保持部材を孔開け面の所定位置に当接させて、孔を所定位置に開けることができる。
【００１０】
請求項３に記載の発明は、例えば図１、２に示すように、請求項１または２に記載の缶用孔開け器２において、前記保持部材と前記位置決め部材２５の少なくともいずれか一方に、前記孔開け面または交差面に吸着する吸着手段（ゴム磁石板２６、２７）が設けられていることを特徴とする。
【００１１】
このように、吸着手段を、保持部材および位置決め部材２５の少なくともいずれか一方に設け、缶の孔開け面または交差面に吸着させることにより、位置決めされた保持部材がずれることを防止することができる。
【００１２】
吸着手段としては、磁石、吸盤、粘着材等が挙げられる。
【００１３】
請求項４に記載の発明は、例えば図１、２に示すように、請求項１から３のいずれか一項に記載の缶用孔開け器２において、前記孔開け部材２１と前記保持部材のうちの一方（例えば、孔開け部材２１）には前記孔開け部材２１を係止する係止部（中軸部２１ｂ、係止部材２１ｅ）が設けられ、他方（前方保持部材２２、後方保持部材２３）には前記係止部に係止する被係止部（２２ｄ、２３ｄ）が設けられていることを特徴とする。
【００１４】
このように、孔開け部材２１および保持部材のうちの一方に設けられた係止部が、他方に設けられた被係止部に係止することにより、摺動可能に保持されている孔開け部材２１の保持部材からの抜け出しを防止することができる。
【００１５】
請求項５に記載の発明は、例えば図１、２に示すように、請求項１から４のいずれか一項に記載の缶用孔開け器２において、前記孔開け部材２１は、その先端面が孔開け部材の軸方向に対して傾斜していることを特徴とする。
【００１６】
このように、孔開け部材２１の先端面が軸方向に対して傾斜していることにより、缶の孔開け面に開けられた孔の内周の全周にわたってバリが生じることがなく、内容物の流出が阻害されることを無くすことができる。
【発明の効果】
【００１７】
本発明によれば、平面状の孔開け面を有する缶の孔開け面に複数の孔を開けるための缶用孔開け器において、先端が尖っている複数の棒状の孔開け部材と、この孔開け部材をその軸方向に摺動可能に所定間隔で保持する保持部材とを備え、この保持部材は、缶の孔開け面に当接する当接面と、この当接面に形成されて複数の孔開け部材の先端部を突出させる開口部とを有するため、缶の孔開け面に複数の孔を均等に配置して容易に開けることができる。さらに、缶が孔開け面と交差する交差面を有している場合には、この交差面に当接して、保持部材の位置決めを行う位置決め部材を備えることによって、孔開け面の所定位置に保持部材を当接させて、孔を開けることができる。
【００１８】
そして、これらの保持部材と位置決め部材の少なくともいずれか一方に、缶の孔開け面または交差面に吸着する吸着手段が備えられることによって、位置決めされた保持部材のずれを防ぐことができる。
【００１９】
また、孔開け部材と保持部材のうちの一方に孔開け部材を係止する係止部が設けられ、他方にこの係止部に係止する被係止部が設けられることによって、孔開け部材が保持部材から抜け出すことを防止できる。また、孔開け部材の先端面を軸方向に対して傾斜させることにより、缶の孔開け面に開けられた孔の内周の全周にわたってバリが生じることなく、内容部の流出が阻害されることが無くなる。
【発明を実施するための最良の形態】
【００２０】
以下、図を参照して本発明を実施するための最良の形態を詳細に説明する。
本実施の形態は、本発明を、道床安定剤が容れられた一斗缶１の側面１２（孔開け面）に、道床安定剤を散布するための複数の流出孔３を開けるための缶用孔開け器２に適用したものである。道床安定剤とは、有道床軌道の道床抵抗力を高めるために道床に散布する合成樹脂からなるもので、例えば、湿気硬化型ウレタン樹脂などである。
【００２１】
ここで、孔開けの対象となる一斗缶１は、図３（ａ）に示すように、平面である上面、底面および側面で構成され、上面１１が２４０ｍｍの略角形で、高さが３５０ｍｍの略立方体の形状で、スチール製のものである。その上面１１の中央付近には持ち手を有し、一隅角部には注ぎ口を有し、外周端部には上方に僅かに突出した縁部１１ａを有している。本実施の形態において、孔開け面である側面１２は、注ぎ口を挟み込むように配置されている２つの側面を除いた側面の内の一方である。
【００２２】
まず、この缶用孔開け器２を構成する各部材について説明する。缶用孔開け器２は、図１（ａ）、（ｂ）に示すように、先端部が尖っている複数の棒状の孔開け部材２１と、この孔開け部材２１をその軸方向に摺動可能に所定間隔で保持して一斗缶１の側面１２に当接する保持部材と、この保持部材を一斗缶１の上面１１（交差面）に当接して保持部材の位置決めをする位置決め部材２５とを備えている。以下において、前（方）とは、缶用孔開け器２を一斗缶１に当接させた状態で側面１２に直交する方向の、缶用孔開け器２から一斗缶１への向きとし、後（方）とは、その逆向きを意味するものとする。
【００２３】
孔開け部材２１は、図２（ｄ）に示すように、断面が円形の棒状、ステンレス製のもので、前軸部２１ａ、中軸部２１ｂ（係止部）および後軸部２１ｃの軸部と、係止部材２１ｅ（係止部）とからなる。前軸部２１ａは、径が２．５ｍｍである。そして、その先端面は孔開け部材の軸方向に対して傾斜して、つまり、先端面が斜めになり一端が尖って形成されている。中軸部２１ｂおよび後軸部２１ｃは、径が６ｍｍで、それらの境目には外周面にわたって溝２１ｄが形成されており、略円環状の一部を切り欠いた形状の係止部材２１ｅが嵌め込まれて中軸部２１ｂの外周面から外方に突出するようになっている。
【００２４】
保持部材は、軽くて取り扱いが容易で耐薬品性を有するポリアセタール樹脂製で、長方形板状の前方保持部材２２、後方保持部材２３および角形棒状の連結部材２４とで構成されている。前方保持部材２２と後方保持部材２３とは、下端部間が連結部材２４で連結され、上端部間が後述する位置決め部材２５の後方部分で連結されている。
【００２５】
前方保持部材２２は、図２（ｃ）に示すように、側面１２に当接する前方側面２２ｂ（当接面）と、この前方側面２２ｂに形成されて複数の孔開け部材２１の先端部を突出させる開口部２２ｃとを有している。この開口部２２ｃは、孔開け部材２１の前軸部２１ａをその軸方向に摺動可能に保持する軸受孔２２ａが二段で千鳥状に配置されて形成されている。軸受孔２２ａは、内径３ｍｍの貫通孔であり、中心間隔が１５ｍｍの等間隔で、一段目に１４個、二段目に１３個、合計２７個形成されている。一段目と二段目の間隔は１５ｍｍである。
【００２６】
この前方保持部材２２の前方側面２２ｂには、一斗缶１の側面１２に当接する部分の略全面にわたって厚さ２ｍｍのゴム磁石板２６（吸着手段）が貼り付けられている。このゴム磁石板２６には、軸受孔２２ａと対応する位置に、軸受孔２２ａの径よりも若干大きい径の挿通孔２６ａが形成されている。
【００２７】
後方保持部材２３は、図２（ａ），（ｃ）に示すように、孔開け部材２１の後軸部２１ｃをその軸方向に摺動可能に保持する軸受孔２３ａの内径が６．５ｍｍで形成されていることを除き、前方保持部材２２と同様のものである。
【００２８】
前方保持部材２２と後方保持部材２３とは、所定の間隔をおいて平行に配置され、前方保持部材２２の後方側面と後方保持部材２３の前方側面の下端部間が連結部材２４によって連結されている。これにより、前方保持部材２２と後方保持部材２３との向い合う側面間には空間が形成され、孔開け部材２１の中軸部２１ｂがこの空間に収められるように組み立てられる。
【００２９】
位置決め部材２５は、図３（ｂ）に示すように、略長方形板状のものであり、その幅は一斗缶１の上面１１の縁部１１ａの内面間に略等しい寸法で形成されている。また、一斗缶１の側面１２の上部の縁部１１ａに位置決め部材２５が接触しないように、中間部２５ｂの側部と下部に凹みが形成されている。
【００３０】
この位置決め部材２５の前部２５ａの下面には、一斗缶１の上面１１に当接する部分の略全面にわたって厚さ２ｍｍのゴム磁石板２７（吸着手段）が貼り付けられている。
【００３１】
そして、後方保持部材２３の後方側面と位置決め部材２５の後部２５ｃの後方側面には、その全面にわたって厚さ１ｍｍの板状のステンレス製の保護板２８が取り付けられている。この保護板２８には、後方保持部材２３の軸受孔２３ａと対応する位置に、軸受孔２３ａの径よりも若干大きい径の挿通孔２８ａが形成されている。
【００３２】
缶用孔開け器２は、図１に示すように、以上のように構成する各部材等をボルト、ねじ等で組み立てて完成する。複数の孔開け部材２１は、その前軸部２１ａおよび後軸部２１ｃを、それぞれ対応する前方保持部材２２および後方保持部材２３の軸受孔２２ａ、２３ａでその軸方向に摺動可能に保持されている。そして、一斗缶１の側面１２に当接する前の状態では、前軸部２１ａは前方保持部材２２の前方側面２２ｂの開口部２２ｃから突出しておらず、後軸部２１ｃは後方保持部材２３の後方側面から突出している。一方、一斗缶１の孔開け面に流出孔３を開けた状態では、前軸部２１ａは前方保持部材２２の前方側面２２ｂの開口部２２ｃから突出し、後軸部２１ｃは後方保持部材２３の後方側面から突出する長さが短くなる。
【００３３】
このとき、孔開け部材２１の中軸部２１ｂは、前方保持部材２２と後方保持部材２３の間の空間内にあって、孔開け部材２１の中軸部２１ｂの前端面が前方保持部材２２の軸受孔２２ａの周囲の後方側面（被係止部２２ｄ）に当接して係止することにより、前方に抜け出すことを防止され、孔開け部材２１の係止部材２１ｅが後方保持部材２３の軸受孔２３ａの周囲の前方側面（被係止部２３ｄ）に当接して係止することにより、後方に抜け出すことを防止されている。
【００３４】
次に、上記した缶用孔開け器２を用いて一斗缶１の側面１２に流出孔３を開ける方法について説明する。まず、一斗缶１を、その上面１１を上にして床面等に載置する。缶用孔開け器２の孔開け部材２１の前軸部２１ａの先端は、前方保持部材２２の軸受孔２２ａ内に収容しておく。図３（ａ）に示すように、位置決め部材２５の前部２５ａの下面を一斗缶１の上面１１の横方向の両縁部１１ａ間に嵌め込むようにして一斗缶１の上面１１に当接させながら、前方保持部材２２の前方側面２２ｄを一斗缶１の側面１２に当接させる。位置決め部材２５の前部２５ａの下面および前方保持部材２２の前方側面２２ｄは、それぞれ一斗缶１の上面１１および側面１２にゴム磁石板２６、２７によって吸着されてずれが防止される。
【００３５】
後方保持部材２３の後方側面から突出している孔開け部材２１の後軸部２１ｃの後端面を一つづつ金槌Ｋ等で叩いて、孔開け部材２１の前軸部２１ａの先端を突出させ、一斗缶１の側面１２を貫通させて流出孔３を開ける。予め孔開け部材２１が所定位置に配されているので、複数の孔を開ける場合であっても、手間がかからない。図３（ｂ）に示すように、缶用孔開け器２を取り外すと一斗缶１の側面上部付近に径が２．５ｍｍの流出孔３が二段で千鳥状に２７個形成される。
【００３６】
流出孔３が形成された一斗缶１を用いて道床安定剤を散布する場合には、一斗缶１の流出孔３が形成されている側面１２を下方（道床）に向けて、一斗缶１内の道床安定剤を流出孔３から流出させる。流出孔３の径、数、配置を上記のように設定することは、散布量が約２ｋｇ／ｍ2となり、道床安定剤の散布に好適である。
【００３７】
また、流出孔３は、孔開け部材２１の先端面が斜めになり一端が尖った状態になっているため、孔の内周の全周にわたってバリが生じることはなく、道床安定剤を安定して流出させることができる。
【００３８】
なお、以上の実施の形態においては、複数の流出孔を径が２．５ｍｍで１５ｍｍ間隔の千鳥状の配置としたが、本発明はこれに限定されるものではなく、散布する量や内容物等に応じて変更される性質のものである。
また、全ての孔開け部材により流出孔を開ける必要はなく、これにより流出孔の数を調節してもよい。また、孔開け部材を一つづつ叩いて孔を開けることとしたが、孔開け面が凹まない程度の強度をもつものであれば、複数あるいは全ての孔開け部材を一括して叩いても良い。
その他、具体的な細部構造等についても適宜に変更可能であることは勿論である。
【図面の簡単な説明】
【００３９】
【図１】本発明を適用した一実施の形態の缶用孔開け器を示す断面図であり、（ａ）は孔を開ける前の状態を、（ｂ）は孔を開けた後の状態を示している。
【図２】同、缶用孔開け器の構成を示す図であり、（ａ）は缶用孔開け器の後方側面図、（ｂ）は上面図、（ｃ）は右側面図、（ｄ）は孔開け部材の軸部の側面図、（ｅ）係止部材の正面図である。
【図３】同、（ａ）は缶用孔開け器を使用する状況の説明図であり、（ｂ）は缶用孔開け器により孔を開けた一斗缶の側面図である。
【符号の説明】
【００４０】
１  一斗缶
２  缶用孔開け器
３  流出孔
１１  上面（交差面）
１１ａ  縁部
１２  孔開け面
２１  孔開け部材
２１ａ  前軸部
２１ｂ  中軸部（係止部）
２１ｃ  後軸部
２１ｄ  溝
２１ｅ  係止部材（係止部）
２２  前方保持部材
２２ａ、２３ａ  軸受孔
２２ｂ  前方側面（当接面）
２２ｃ  開口部
２２ｄ、２３ｄ  被係止部
２３  後方保持部材
２４  連結部材（保持部材）
２５  位置決め部材
２６、２７  ゴム磁石板（吸着手段）
２６ａ、２７ａ、２８ａ  挿通孔
２８  保護板
Ｋ  金槌
【図１】
2006001559.tif 000003
【図２】
2006001559.tif 000004
【図３】
2006001559.tif 000005